(57)【要約】【課題】携帯型電話装置において、簡単な構成で携帯電話装置を目視しなくても希望する電話番号が入力できたか否かを正確に認識することができ、ボタンを何度も押圧してしまうことを防止する携帯型電話装置を提供する。【解決手段】筐体と、筐体に設置されデータを電波により送受信する電波送受信手段と、予め送信する電話番号の桁数を設定する設定部と、押圧することにより下方へ移動する入力キーと、入力キーの下方に固定され前記入力キーの押圧により指示信号を出力する信号出力手段と、信号出力手段を固定する基板と、信号出力手段が出力する信号に応じて電波送受信手段を制御する制御手段と、信号出力手段から出力された指示信号の桁数を検知し、設定部により設定した電話番号の桁数と同一の桁数の指示信号が前記信号出力手段から出力された場合、入力キーが押圧される方向に対し垂直な方向に基板を振動させる振動発生手段とを備える。【選択図】　　　図３
2004128578.tif 000002
【特許請求の範囲】
【請求項１】
電波を送受信することによってデータを交信する携帯型電話装置において、
箱形を成し上方に開口する開口部を形成する筐体と、前記筐体に設置されデータを電波により送受信する電波送受信手段と、予め送信する電話番号の桁数を設定する設定部と、前記筐体に設置され上面が前記開口部から突出し押圧することにより下方へ移動する入力キーと、前記入力キーの下方に固定され前記入力キーの押圧により指示信号を出力する信号出力手段と、前記信号出力手段を固定する基板と、前記信号出力手段が出力する信号に応じて前記電波送受信手段を制御する制御手段と、前記信号出力手段から出力された指示信号の桁数を検知し、前記設定部により設定した電話番号の桁数と同一の桁数の指示信号が前記信号出力手段から出力された場合、前記入力キーが押圧される方向に対し垂直な方向に前記基板を振動させる振動発生手段とを備えることを特徴とする携帯型電話装置。
【請求項２】
電波を送受信することによってデータを交信する携帯型電話装置において、
箱形を成し上方に開口する開口部を形成する筐体と、前記筐体に設置されデータを電波により送受信する電波送受信手段と、前記筐体に設置され上面が前記開口部から突出し押圧することにより下方へ移動する入力キーと、前記入力キーの下方に固定され前記入力キーの押圧により予め割り当てられた番号を示す指示信号を出力する複数の信号出力手段と、予め定められたｎ桁の番号に対応して電話番号の桁数を記憶する記憶部と、前記信号出力手段を固定する基板と、前記信号出力手段が出力する信号に応じて前記電波送受信手段を制御する制御手段と、前記信号出力手段から出力された指示信号の先頭からｎ桁の番号が番号前記記憶部に記憶されているｎ桁の番号と同一の場合、前記記憶部に記憶された電話番号の桁数と同一の桁数の指示信号が前記信号出力手段から出力されたとき前記入力キーが押圧される方向に対し垂直な方向に前記基板を振動させる振動発生手段とを備えることを特徴とする携帯型電話装置。
【発明の詳細な説明】
【０００１】
【発明の属する技術分野】
本発明は、電波を送受信することによってデータの交信をする携帯型電話装置に関する。
【０００２】
【従来の技術】
図４は、従来の携帯型電話装置を示すブロック図である。
携帯型電話装置１００は、電波送受信部２、再生部３、入力部４、表示部６、電源スイッチ９、電源部１０、押圧部５０及び制御部８００を備える。
【０００３】
押圧部５０は、後述するボタンを押圧することにより、電話番号データを出力する。制御部８００は、押圧部５０から出力される電話番号データに基づいて、電波送受信部２が後述する図示しない基地局と交信を行うよう制御する。
【０００４】
電波送受信部２は、制御部８００の制御により、電話番号データを電波に変換し、基地局へ送信する。
【０００５】
基地局は、電波送受信部２からの電波を受信した後、他の電話装置又は端末装置との交信が可能となると、交信が可能となったことを示すデータ（交信開始データ）を電波に変換し、電波送受信部２へ送信する。また、基地局は、他の電話装置又は端末装置から携帯型電話装置１００との交信を希望する信号が入力されると、携帯型電話装置１００に対し交信を希望する交信希望データを電波に変換し、電波送受信部２へ送信する。
【０００６】
電波送受信部２は、基地局から交信開始データ及び交信希望データの電波を受信すると、交信が開始されたことを示す信号（交信開始信号）を制御部８００へ出力する。また、電波送受信部２は、交信が開始されたことを示す電波を基地局へ送信する。
【０００７】
基地局は、電波送受信部２からの交信が開始されたことを示す電波により、他の電話装置に対して、音声データを送受信する。基地局は、他の電話装置又は端末装置からの音声データを電波に変換し、電波送受信部２へ送信する。
【０００８】
電波送受信部２は、基地局から送信された電波を音声データに変換する。また、電波送受信部２は、後述する入力部４からの音声データを電波に変換し、基地局へ送信する。
【０００９】
再生部３は、制御部８００を介して入力した電波送受信部２からの交信開始データ及び交信希望データにより、電波送受信部２が入力した音声データを音声信号に変換し、変換した音声信号を外部に出力する。入力部４は、外部から音声信号が入力されると、入力された音声信号を音声データに変換し、電波送受信部２へ出力する。電波送受信部２は、入力部４からの音声データを電波に変換し、基地局へ出力する。
【００１０】
表示部６は、押圧部５０により入力した電話番号データを数字に変換して表示する。また、表示部６は、基地局からの交信希望データに基づいて、他の電話装置又は端末装置が交信を希望していることを表示する。
【００１１】
電源部１０は、乾電池又はリチウム電池から成り、電波送受信部２、再生部３、入力部４、押圧部５０、表示部６および制御部８００へ電力を供給する。
電源スイッチ９は、切替えスイッチから成り、切替え操作により、電源部１０が供給する電源のオン・オフを切替える。
【００１２】
図５は、従来の携帯型電話装置１００の断面構造を示す図である。
携帯型電話装置１００は、筐体３０、ボス４００及び基板５２０を備える。筐体３０は、箱型を成し、上面に開口する複数の孔３０１が形成されている。
【００１３】
押圧部５０は、複数のボタン５０１、シャフト５０２及び入力スイッチ５０３を備える。ボタン５０１は、直方体を成し、筐体３０の孔３０１より上方に突出している。シャフト５０２は、円筒形を成し、上面がボタン５０１の後面に固着されている。入力スイッチ５０３は、シャフト５０２の下面に固定されている。基板５２０は、薄い平板から成り、入力スイッチ５０３を固定している。ボス４００は、円筒型をなし、筐体３０の底面に固着されている。ボス４００は、図示しないネジにより基板５２０を固定する。
【００１４】
入力スイッチ５０３は、ボタン５０１が下方に押されることにより、下方に移動し、押圧が解除されると押圧前の位置へ移動する。それぞれの入力スイッチ５０３は、ボタン５０１が下方に押圧され、シャフト５０２が予め定めた位置まで下方に移動したことを検知することによって、予め割り当てられた番号を示す電話番号データを出力する。基板５２０は、入力スイッチ５０３及び制御部８００と電気的に接続され、入力スイッチ５０３から出力された電話番号データを制御部８００へ出力する。
【００１５】
以上により、携帯型電話装置１００は、電源スイッチ９をオンし、押圧部５０により電話番号を入力する操作を行うか、又は、他の電話装置又は端末装置から交信希望データの電波が基地局から電波送受信部２へ送信されることにより、基地局を介して、他の電話装置又は端末装置と音声データの交信をすることができる。
【００１６】
携帯型電話装置１００により、他の電話装置又は端末装置へ音声データの交信を行う場合は、他の電話装置や端末装置に予め割り当てられた複数桁の電話番号データを基地局へ送信する。このとき、ボタン５０１を押圧し、入力スイッチ５０３が電話番号データを出力することにより所望した複数桁の電話番号を正確に入力することができたか否かは、表示部６によって表示される入力した電話番号データの表示により判別することができる。
【００１７】
携帯型電話装置１００を頻繁に使用する使用者は、どのボタン５０１が何の番号に割り当てられているかをボタン５０１の配置場所により記憶している場合が多い。このような使用者は、携帯型電話装置１００のボタン５０１や表示部６を目視せずとも、ボタン５０１を指先で押圧することによって、所望する複数桁の番号を入力することができる。しかしながら、携帯型電話装置１００は、ボタン５０１を所定の位置まで下方へ押圧しないと入力スイッチ５０３が電話番号データを出力しないため、使用者が表示部６を目視しないでボタン５０１を所定の位置まで押圧しなかった場合、ボタン５０１を押圧して番号を入力しても入力スイッチ５０３が電話番号データを出力しないことを確認できない場合がある。
【００１８】
このため、例えば、使用者が表示部６を目視しないでボタン５０１を押圧し１０桁の番号を入力しようとする場合、１回のボタン５０１が正しく入力されずに９桁の番号を入力してしまうことがある。このとき、携帯型電話装置１００は、その９桁の番号を電話番号データとして基地局へ送信してしまい、希望する電話装置との音声データの交信ができなくなったり、希望しない電話装置と交信をしてしまう虞がある。
【００１９】
従来の携帯型電話装置１００には、表示部６やボタン５０１を目視しなくてもそれぞれのボタン５０１が正しく押圧できたか否かを使用者が認識できるようにするために、それぞれのボタン５０１が押圧されて入力スイッチ５０３が電話番号データを出力した場合に音を発生させる機能を備えるものがある。この機能を備える携帯型電話装置は、それぞれのボタン５０１が正しく入力できたか否かを音により認識することができる。しかしながら、周囲から騒音が発生している場所でこの携帯型電話装置を使用する場合、ボタン５０１を押圧しても、ボタン５０１が正しく入力できたことを示す音を使用者が認識できなくなる虞がある。
【００２０】
また、従来の携帯型電話装置１００には、例えば、他の電話装置から交信希望データを受信した場合に携帯型電話装置１００の筐体３０の表面を振動させて使用者に他の電話装置から交信希望があったことを認識させる振動発生手段を備えるものが知られている（例えば、特許文献１参照。）。この携帯型電話装置によれば、例えば、ボタン５０１を押圧して入力スイッチ５０３から電話番号データが出力された毎に、前記振動発生手段が振動して筐体３０に振動を発生させる構成とすれば、表示部６を目視しないでボタン５０１を押圧した場合でも、正確にそれぞれのボタン５０１が押圧できたか否かを筐体３０の振動により認識することができる。
【００２１】
【特許文献１】
特開平１０−２５７１３５号公報（第１図）
【００２２】
【発明が解決しようとする課題】
しかしながら、このような構成とすると、ボタン５０１を押圧する毎に筐体３０を把持する使用者の掌に振動が伝達することとなり、例えば、ボタン５０１によって１０桁の番号を入力しようとする場合は、当該筐体３０を把持する掌に１０回の振動が伝達してしまい、掌が痺れてしまう虞がある。また、筐体３０が振動することにより、ボタン５０１を指で下方に押圧している途中でボタン５０１が上下に振動してボタン５０１を何度も押圧してしまい、入力スイッチ５０３から電話番号データが何度も出力されてしまう虞がある。
【００２３】
本発明は、電波を送受信することによってデータを交信する携帯型電話装置において、簡単な構成で携帯電話装置を目視しなくても希望する電話番号が入力できたか否かを正確に認識することができ、電話番号データを何度も出力してしまうことを防止することができる携帯型電話装置を提供することを目的とする。
【００２４】
【課題を解決するための手段】
本願の請求項１記載の発明は、電波を送受信することによってデータを交信する携帯型電話装置において、箱形を成し上方に開口する開口部を形成する筐体と、前記筐体に設置されデータを電波により送受信する電波送受信手段と、予め送信する電話番号の桁数を設定する設定部と、前記筐体に設置され上面が前記開口部から突出し押圧することにより下方へ移動する入力キーと、前記入力キーの下方に固定され前記入力キーの押圧により指示信号を出力する信号出力手段と、前記信号出力手段を固定する基板と、前記信号出力手段が出力する信号に応じて前記電波送受信手段を制御する制御手段と、前記信号出力手段から出力された指示信号の桁数を検知し、前記設定部により設定した電話番号の桁数と同一の桁数の指示信号が前記信号出力手段から出力された場合、前記入力キーが押圧される方向に対し垂直な方向に前記基板を振動させる振動発生手段とを備えることを特徴とする。
【００２５】
本願の請求項２記載の発明は、電波を送受信することによってデータを交信する携帯型電話装置において、箱形を成し上方に開口する開口部を形成する筐体と、前記筐体に設置されデータを電波により送受信する電波送受信手段と、前記筐体に設置され上面が前記開口部から突出し押圧することにより下方へ移動する入力キーと、前記入力キーの下方に固定され前記入力キーの押圧により予め割り当てられた番号を示す指示信号を出力する複数の信号出力手段と、予め定められたｎ桁の番号に対応して電話番号の桁数を記憶する記憶部と、前記信号出力手段を固定する基板と、前記信号出力手段が出力する信号に応じて前記電波送受信手段を制御する制御手段と、前記信号出力手段から出力された指示信号の先頭からｎ桁の番号が番号前記記憶部に記憶されているｎ桁の番号と同一の場合、前記記憶部に記憶された電話番号の桁数と同一の桁数の指示信号が前記信号出力手段から出力されたとき前記入力キーが押圧される方向に対し垂直な方向に前記基板を振動させる振動発生手段とを備えることを特徴とする。
【００２６】
【発明の実施の形態】
本発明の一実施例を図面を参照して説明する。なお、従来技術で示した構成と同一の構成については同符号を用いる。
【００２７】
図１は、本発明の一実施例の携帯型電話装置を示すブロック図である。
図２は、本発明の一実施例の携帯型電話装置を示す斜視図である。
【００２８】
携帯型電話装置１は、電波送受信部２、再生部３、入力部４、第１の押圧部５、表示部６、第２の押圧部７、制御部８、電源スイッチ９、電源部１０、設定部２０及び振動発生部６０を備える。
【００２９】
図２に示すように、筐体３０は、箱型を成し、上面に開口する孔３０１が形成されている。
電波送受信部２、再生部３、入力部４、表示部６、電源スイッチ９及び設定部２０は、筐体３０の表面に設置され、制御部８、電源部１０及び振動発生部６０は筐体３０の内部に設置される。
【００３０】
設定部２０は、後述する基地局へ送信する電話番号データの桁数を設定する。設定部２０は、基地局へ送信する電話番号データの桁数を１０桁に設定すると、制御部８へ第１の設定信号を出力し、基地局へ送信する電話番号データの桁数を１１桁に設定すると、制御部８へ第２の設定信号を出力する。
【００３１】
第１の押圧部５は、複数の電話番号ボタンから成り、このボタンを押圧することにより、電話番号データを出力する。表示部６は、第１の押圧部５により入力した電話番号データを表示する。
【００３２】
制御部８は、設定部２０から第１の設定信号が出力されている場合、第１の押圧部５から１０桁の電話番号データが出力されると、振動発生部６０へ振動を発生させるよう制御する。また、制御部８は、設定部２０から第２の設定信号が出力されている場合、第１の押圧部５から１１桁の電話番号データが出力されると、振動発生部６０へ振動を発生させるよう制御する。
【００３３】
振動発生部６０は、制御部８の制御により、予め定めた時間、例えば、１秒間振動を発生する。振動発生部６０が発生する振動については後述する。
【００３４】
第２の押圧部７は、１つのボタンから成り、このボタンを押圧することにより、図示しない基地局と交信を行うよう指示する交信指示信号を出力する。
【００３５】
制御部８は、第３の押圧部２０から交信指示信号が出力されると、表示部６が表示する電話番号データを電波送受信部２が基地局へ送信するよう制御する。
【００３６】
電波送受信部２は、制御部８の制御により、電話番号データを電波に変換し、基地局へ送信する。
【００３７】
基地局は、電波送受信部２からの電波を受信した後、他の電話装置又は端末装置との交信が可能となると、交信が可能となったことを示すデータ（交信開始データ）を電波に変換し、電波送受信部２へ送信する。また、基地局は、他の電話装置又は端末装置から携帯型電話装置１との交信を希望する信号が入力されると、携帯型電話装置１に対し交信を希望する交信希望データを電波に変換し、電波送受信部２へ送信する。
【００３８】
電波送受信部２は、基地局から交信開始データ及び交信希望データの電波を受信すると、交信が開始されたことを示す信号（交信開始信号）を制御部８へ出力する。また、電波送受信部２は、交信が開始されたことを示す電波を基地局へ送信する。
【００３９】
基地局は、電波送受信部２からの交信が開始されたことを示す電波により、他の電話装置に対して、音声データを送受信する。基地局は、他の電話装置又は端末装置からの音声データを電波に変換し、電波送受信部２へ送信する。
【００４０】
電波送受信部２は、基地局から送信された電波を音声データに変換する。また、電波送受信部２は、後述する入力部４からの音声データを電波に変換し、基地局へ送信する。
【００４１】
再生部３は、制御部８を介して入力した電波送受信部２からの交信開始データ及び交信希望データにより、電波送受信部２が受信した音声データを音声信号に変換し、変換した音声信号を再生する。入力部４は、外部から音声信号が入力されると、入力された音声信号を音声データに変換し、電波送受信部２へ出力する。電波送受信部２は、入力部４からの音声データを電波に変換し、基地局へ送信する。
【００４２】
表示部６は、第１の押圧部５により入力した電話番号データを表示する。また、表示部６は、基地局からの交信希望データに基づいて、他の電話装置又は端末装置が交信を希望していることを表示する。
【００４３】
電源部１０は、乾電池又はリチウム電池から成り、電波送受信部２、再生部３、入力部４、第１の押圧部５、表示部６、第２の押圧部７、制御部８及び設定部２０へ電力を供給する。
電源スイッチ９は、切替えスイッチから成り、切替え操作により、電源部１０が供給する電源のオン・オフを切替える。
【００４４】
図３は、本実施例の携帯型電話装置の断面図である。
携帯型電話装置１は、筐体３０、ボス４０、基板５２、保持部７０及び導電ケーブル８０１を備える。
【００４５】
第１の押圧部５は、複数のボタン５０１、シャフト５０２及び入力スイッチ５０３を備える。第２の押圧部７は、ボタン７０１、シャフト７０２及び入力スイッチ７０３を備える。
【００４６】
ボタン５０１及びボタン７０１は、直方体を成し、それぞれ筐体３０の孔３０１より上方に突出している。シャフト５０２及びシャフト７０２は、円筒形を成し、それぞれ上面がボタン５０１及びボタン７０１の後面に固着されている。入力スイッチ５０３及び入力スイッチ７０３は、それぞれシャフト５０２及びシャフト７０２の下面に固定されている。
【００４７】
基板５２は、薄い平板から成り、入力スイッチ５０３及び入力スイッチ７０３を固定している。
基板５２は、上下に貫通する孔５３が形成されている。ボス４０は、円筒型をなし、筐体３０の底面に固着されている。ボス４０は、上面の略中央に上方へ突出する凸部４１を備える。基板５２の孔５３の内径は、凸部４１の外径より大きい。基板５２は、孔５３が凸部４１に挿入された状態で保持される。保持部７０は円筒形を成し、基板５２の孔５３が凸部４１に挿入された状態から上方へ外れないよう凸部４１の上面に固定される。
【００４８】
基板５２の上下方向の厚さは、ボス４０の上面から保持部７０の裏面までの距離より小さい。基板５２は、孔５３の内径が凸部４１の外径より大きいことにより、水平方向に自在にスライドする。筐体３０の孔３０１の内壁からボタン５０１及びボタン７０１の側面までの距離は、基板５２は水平方向に振動する際の最大振幅の１／２より大きい。
【００４９】
入力スイッチ５０３及び入力スイッチ７０３は、それぞれボタン５０１及びボタン７０１が下方に押されることにより、下方に移動し、押圧が解除されると押圧前の位置へ移動する。入力スイッチ５０３及び入力スイッチ７０３は、ボタンが下方に押圧され、シャフトが予め定めた位置まで下方に移動したことを検知することによって、それぞれ電話番号データ及び交信指示信号を出力する。
【００５０】
基板５２０は、入力スイッチ５０３及び入力スイッチ７０３と電気的に接続されている。導電ケーブル８０１は、基板５２と制御部８を電気的に接続している。
【００５１】
振動発生部６０は、筐体３０の内側面に固定され、水平方向へ一定周期及び一定振幅で小刻みに移動することで振動する腕部６０１を備える。腕部６０１の一端は基板５２に固定される。振動発生部６０は、制御部８の制御により、腕部６０１を振動させる。基板５２は、腕部６０１に固定されていることにより、腕部６０１が振動するのに同期して水平方向へ振動する。
【００５２】
以上により、携帯型電話装置１において、設定部２０の送信する電話番号データの桁数の設定が１０桁に設定されている場合、第１の押圧部５から１０桁の電話番号データが出力されたとき、振動発生部６０は振動を発生する。また、設定部２０の送信する電話番号データの桁数の設定が１１桁に設定されている場合、第１の押圧部５から１１桁の電話番号データが出力されたとき、振動発生部６０は振動を発生する。基板５２は、振動発生部６０の腕部６０１の水平方向の振動により左右に振動する。よって、このとき、ボタン５０１及びボタン７０１もそれぞれの入力スイッチ及びシャフトを介して水平方向に振動する。
【００５３】
携帯型電話装置１の使用者は、表示部６を目視しないでボタン５０１を指で押圧して希望する１０桁の番号を入力する場合、予め、設定部２０の設定を１０桁に設定しておく。そして、表示部６を目視しないで１０桁目のボタン５０１を押圧したとき、ボタン５０１が振動することにより、１０桁の電話番号が正確に押圧できたことを認識することができる。また、表示部６を目視しないでボタン５０１を指で押圧して希望する１１桁の番号を入力する場合、予め、設定部２０の設定を１１桁に設定しておく。そして、表示部６を目視しないで１１桁目のボタン５０１を押圧したとき、ボタン５０１が振動することにより、１１桁の電話番号が正確に押圧できたことを認識することができる。
【００５４】
このことにより、例えば、それぞれのボタン５０１により１０桁の番号を入力しようとする場合、ボタン５０１を１０回押圧したのにも拘わらず、ボタン５０１が振動しなかった場合は、入力スイッチ５０３から１０桁の電話番号データが出力されなかった、即ち、希望した電話番号が正確に押圧できていないことを認識する。これにより、使用者が表示部６を目視しないでボタン５０１を押圧して１０桁の番号を入力したのにも拘わらず、１０回の内の１回のボタン５０１が正しく入力されずに入力スイッチ５０３から９桁の電話番号データしか出力されていない状態で第２の押圧部７を押圧し、基地局へ９桁の間違った電話番号データを送信してしまったために、希望する電話装置との音声データの交信ができなかったり、希望しない電話装置と交信をしてしまうこと防止することができる。
【００５５】
また、携帯型電話装置１の使用者が希望する電話番号データの桁数が１１桁である場合は、設定部２０の設定を１１桁に設定を変更しておくことにより、ボタン５０１を押圧し、入力スイッチ５０３から１１桁の電話番号データが出力されたときにボタン５０１が振動するよう設定を変更することができるので、電話番号の桁数に応じてボタン５０１を振動させることができる。
【００５６】
また、携帯型電話装置１は、ボタン５０１を押圧し、入力スイッチ５０３から設定部２０で設定した桁数の電話番号データが出力されたときボタン５０１が上下方向に振動せずに水平方向にのみ振動するので、ボタン５０１を指で下方に押圧している途中でボタン５０１が上下に振動してボタン５０１を何度も押圧してしまい、入力スイッチ５０３から電話番号データが何度も出力されてしまうことがないので、電話番号を正確に入力することができる。
【００５７】
また、携帯型電話装置１は、ボタン５０１を押圧して入力スイッチ５０３から設定部２０で設定した桁数の電話番号データが出力されたときにボタン５０１が振動するので、周囲から騒音が発生している場所でこの携帯型電話装置１を使用する場合でも、ボタン５０１を押圧して入力スイッチ５０３から正確な電話番号データが出力されたことをボタン５０１から伝達した振動により認識することができる。
【００５８】
携帯型電話装置１は、入力スイッチ５０３から電話番号データが出力されたときに筐体３０は振動しないでボタン５０１のみが振動するので、筐体３０を把持する掌が痺れてしまうことがない。また、携帯型電話装置１は、設定部２０で設定した桁数の電話番号データが入力されたときにボタン５０１が振動するので、ボタン５０１を押圧する毎にボタン５０１が振動してしまい、ボタン５０１を押圧する指が痺れてしまうことがない。
【００５９】
本実施例の携帯型電話装置１は、設定部２０で設定した桁数の電話番号データが入力されたときにボタン５０１が振動する構成としたが、例えば、入力スイッチ５０３から出力される先頭から予め定めた桁数の電話番号データ、例えば、入力スイッチ５０３から出力される先頭から３桁の電話番号データに応じた桁数を予め記憶する記憶部を備え、入力スイッチ５０３から出力される先端から３桁の電話番号データに応じて、ボタン５０１を振動させる構成としても良い。例えば、予め、第１の押圧部５から出力される先頭から３桁の電話番号データが「０９０」である場合は１１桁で、「０９０」以外の場合は１０桁であることを記憶部に記憶させておき、第１の押圧部５から出力される先頭から３桁の電話番号データが「０９０」である場合は、１１桁の電話番号データが出力されたときにボタン５０１を振動させ、第１の押圧部５から出力される先頭から３桁の電話番号データが「０９０」以外の場合は、１０桁の電話番号データが出力されたときにボタン５０１を振動させる構成とする。これにより、設定部２０によって電話番号の桁数を設定しなくても、第１の押圧部５から出力される電話番号データに応じた桁数で自動的にボタン５０１を振動させることができる。
【００６０】
【発明の効果】
本発明によれば、電波を送受信することによってデータを交信する携帯型電話装置において、押圧部を押圧し電話番号データが出力されたとき押圧部が上下方向に振動せずに水平方向にのみ振動するので、携帯電話装置を目視しなくても希望する電話番号が入力できたか否かを正確に認識することができ、電話番号データを何度も出力してしまうことを防止することができる携帯型電話装置を提供することができる。
【図面の簡単な説明】
【図１】本発明の一実施例の携帯型電話装置を示すブロック図。
【図２】本発明の一実施例の携帯型電話装置を示す斜視図。
【図３】本発明の一実施例の携帯型電話装置の断面図。
【図４】従来の携帯型電話装置を示すブロック図。
【図５】従来の携帯型電話装置の断面図。
【符号の説明】
１　携帯型電話装置、２　電波送受信部、３　再生部、４　入力部、
５　第１の押圧部、５０１　ボタン、５０２　シャフト、５０３　入力スイッチ、
６　表示部、
７　第２の押圧部、７０１　ボタン、７０２　シャフト、７０３　入力スイッチ、
８　制御部、９　電源スイッチ、１０　電源部、２０　設定部
３０　筐体、３０１　孔、４０　ボス、４１　凸部、５０　押圧部、
５２　基板、５３　孔、
６０　振動発生部、６０１　腕部、７０　保持部、８０１　導電ケーブル、
１００　携帯型電話装置、４００　ボス、５２０　基板、８００　制御部
【図１】
2004128578.tif 000003
【図２】
2004128578.tif 000004
【図３】
2004128578.tif 000005
【図４】
2004128578.tif 000006
【図５】
2004128578.tif 000007